(57)【要約】【課題】けらばや軒先の形状に自由度を持たせて様々な端部構造を形成でき、さらに施工及び調整を容易に行うことができるけらば支持材又は軒先支持材を含む端部支持材を提供する。【解決手段】本発明の端部支持材１は、屋根構造のけらばや軒端に延設状に取り付けられる上面側型材２と裏面側型材３とからなり、けらば端又は軒先端における屋根面と天井面との角度を保持する部材であって、屋根面を形成する前記上面側型材２の裏面に、天井面を形成する前記裏面側型材３の端部がヒンジ構造Ｈを介して回動可能に取り付けられ、前記上面側型材２に凹部２９が形成され、前記上面側型材２もしくは前記裏面側型材３の一方もしくは一部が化粧部（３１）を兼ねることを特徴とする。上面側型材２の裏面に裏面側型材３の端部がヒンジ構造Ｈを介して回動可能に取り付けられ、上面側型材２もしくは裏面側型材３の一方もしくは一部が化粧部（３１）を兼ねる【選択図】図３
2020176518.tif 000002
【特許請求の範囲】
【請求項１】
屋根構造のけらばや軒端に延設状に取り付けられる上面側型材と裏面側型材とからなり、けらば端又は軒先端における屋根面と天井面との角度を保持する端部支持材であって、
屋根面を形成する前記上面側型材の裏面に、天井面を形成する前記裏面側型材の端部がヒンジ構造を介して回動可能に取り付けられ、前記上面側型材に凹部が形成され、前記上面側型材もしくは前記裏面側型材の一方もしくは一部が化粧部を兼ねることを特徴とする端部支持材。
【請求項２】
前記裏面側型材にはボルトの頭部が保持され、前記上面側型材の凹部にはボルトを貫通する孔が設けられてナットが締め付けられることで前記上面側型材と前記裏面側型材との拡開角度が調節できることを特徴とする請求項１に記載の端部支持材。
【発明の詳細な説明】
【技術分野】
【０００１】
本発明は、けらばや軒先の形状に自由度を持たせて様々な端部構造を形成でき、さらに施工及び調整を容易に行うことができるけらば支持材又は軒先支持材を含む端部支持材に関する。
【背景技術】
【０００２】
従来、軒先に丸みを帯びた、鋭角等の意匠性を持たせるものとして、特許文献１に記載の化粧構造が提案されている。この化粧構造は、固定縦片の前方に向けて突出縦片を突設して平面視略Ｔ字状の軒先支持金具を形成し、突出縦片の上端部に前記軒樋取付け金具を取付け、複数の軒先支持金具を連結横材により連結して軒先ユニット本体を形成し、該ユニット本体の前面部に化粧カバーを取付けた構成である。
また、施工を簡単に行う軒先として、特許文献２に記載の軒天形成方法及び軒天形成用構造物が提案されている。この方法及び構造物は、屋根パネルの軒端（枢結部）に軒天パネルを回動可能に連結し、両パネル間に回動阻止手段として吊り部材を取り付けた構成である。
そして、これらの種類の軒先用又は軒天用の部材は、主に建築物の「垂木」に固定されるものである。
【先行技術文献】
【特許文献】
【０００３】
【特許文献１】特開平９−２８７２５９号公報
【特許文献２】特許第４２０２４７２号公報
【発明の概要】
【発明が解決しようとする課題】
【０００４】
しかしながら、前記特許文献１では、構成する部材の種類が多いため、高価であり、それらを組み合わせる施工にも手間が掛かるものであった。
また、前記特許文献２では、吊り部材を畳んだ状態とするか延ばした状態とするかしかないため、決まった角度にしか使用することができず、汎用性の低いものであった。
さらに、この種の部材を、前述のような決まった角度に使用する場合であっても、垂木等の下地の誤差（レベル違い）等には対応できないものであった。
【０００５】
そこで、本発明は、けらばや軒先の形状に自由度を持たせて様々な端部構造を形成でき、さらに施工及び調整を容易に行うことができるけらば支持材又は軒先支持材を含む端部支持材を提供することを目的とする。
【課題を解決するための手段】
【０００６】
本発明は、上記に鑑み提案されたものであり、屋根構造のけらばや軒端に延設状に取り付けられる上面側型材と裏面側型材とからなり、けらば端又は軒先端における屋根面と天井面との角度を保持する端部支持材であって、屋根面を形成する前記上面側型材の裏面に、天井面を形成する前記裏面側型材の端部がヒンジ構造を介して回動可能に取り付けられ、前記上面側型材に凹部が形成され、前記上面側型材もしくは前記裏面側型材の一方もしくは一部が化粧部を兼ねることを特徴とする端部支持材に関するものである。
【０００７】
また、本発明は、前記端部支持材において、前記裏面側型材にはボルトの頭部が保持され、前記上面側型材の凹部にはボルトを貫通する孔が設けられてナットが締め付けられることで前記上面側型材と前記裏面側型材との拡開角度が調節できることを特徴とする端部支持材をも提案する。
【発明の効果】
【０００８】
本発明の端部支持材は、上面側型材の裏面に裏面側型材の端部がヒンジ構造を介して回動可能に取り付けられ、上面側型材もしくは裏面側型材の一方もしくは一部が化粧部を兼ねるので、一つの端部支持材にて、けらば端や軒先端の角度が異なる様々な端部構造に対応することができる。特にこの先端の角度は、けらば構造や軒先構造の意匠性に極めて大きな影響を与えるものであって、例えば外装材の一部を傾斜角度を変えて配設可能としたものではなく、この端部構造を建築物の屋根構造のけらばや軒先に採用する意義としても大きな貢献を果たす。また、その表層側や裏面側に化粧材等を配設する場合にも安定且つ強固に保持することができる。
そして、例えば軒先に適用した場合には通常の一般屋根に比べて先端がシャープな先鋭な印象を受ける屋根を施工し易く、該軒先により所定領域の雨避けや日光避けの庇（ひさし）として有効利用する空間を形成することも可能である。
このように本発明では、取付施工が容易であって、意匠性に富んだ、デザイン性に優れた端部構造とすることができ、特に軒先に適用した場合には該軒先にて形成される空間を有効に利用することもできる。
そのため、けらば等の端部を含む軒先における意匠性及びデザイン性が著しく向上し、また施工作業を迅速に容易に行うことができる。また、それらの端部に取り付けられる部品を共通化して汎用性を高めることが可能である。
【０００９】
また、前記裏面側型材にはボルトの頭部が保持され、前記上面側型材の凹部にはボルトを貫通する孔が設けられてナットが締め付けられることで前記上面側型材と前記裏面側型材との拡開角度が調節できる場合には、用いるボルトへのナットの締め付け位置を様々に選択することで、異なる拡開角度に対応させることができる。
【図面の簡単な説明】
【００１０】
【図１】（ａ）本発明の参考例の軒先支持材にて形成された軒先構造を示す側断面図、（ｂ）参考例の軒先支持材を構成する裏面側型材の拡大側面図、（ｃ）参考例の軒先支持材を構成する上面側型材の拡大側面図である。
【図２】（ａ）係止部材で拡大角度を変更する軒先構造（軒先支持材）を示す側断面図、（ｂ）小さな係止部材で拡大角度を小さくした軒先構造（軒先支持材）を示す側断面図、（ｃ）大きな係止部材で拡開角度を大きくした軒先構造（軒先支持材）を示す側断面図、（ｄ）第１の態様の角度調節機構を示す側断面図である。
【図３】（ａ）本発明の第１実施例（第２の態様の角度調節機構）の軒先支持材にて形成された軒先構造を示す側断面図、（ｂ）第１実施例の軒先支持材を構成する裏面側型材の拡大側面図、（ｃ）第１実施例の軒先支持材を構成する上面側型材の拡大側面図である。
【図４】（ａ）第２の態様の角度調節機構における軒先構造（軒先支持材）を示す側断面図、（ｂ）ボルトを変更して拡開角度を小さくした軒先構造（軒先支持材）を示す側断面図、（ｃ）拡開角度を大きくした軒先構造（軒先支持材）を示す側断面図である。
【図５】（ａ）第２実施例（第３の態様の角度調節機構）の軒先支持材を示す側断面図、（ｂ）拡開角度をやや大きくした軒先支持材を示す側断面図、（ｃ）更に拡開角度を大きくした軒先支持材を示す側断面図、（ｄ）ボルトを変更して更に大きな拡開角度に適応させた軒先支持材を示す側断面図、（ｅ）第２実施例の軒先支持材を構成する裏面側型材の拡大側面図、（ｆ）第２実施例の軒先支持材を構成する上面側型材の拡大側面図、（ｇ）第２実施例において用いた溝部材を示す拡大側面図である。
【図６】（ａ）参考例におけるヒンジ構造が異なる上面側型材と裏面側型材とを組み付ける直前の状態〔裏面側型材が金具に固定された状態）を示す側面図、（ｂ）裏面側型材に対して第１の態様の角度調節機構にて上面側型材の拡開角度を調整した状態を示す側面図、（ｃ）ビスを打ち込んで拡開角度を決定した状態を示す側面図、（ｄ）別の拡開角度に調整した状態を示す側面図である。
【図７】（ａ）第３実施例（第３の別の態様の角度調節機構）の軒先支持材にて形成された軒先構造を示す側断面図、（ｂ）拡開角度をやや大きくした軒先構造（軒先支持材）の側断面図、（ｃ）用いた裏面側型材の側面図、（ｄ）第４実施例における軒先化粧材の別の態様を示す側断面図である。
【図８】（ａ）第５実施例（第２の別の態様の角度調整機構）の軒先支持材にて形成された軒先構造を示す側断面図、（ｂ）軒天構造を変更した例を示す側断面図である。
【発明を実施するための形態】
【００１１】
本発明の端部支持材は、屋根構造のけらばや軒端に延設状に取り付けられる上面側型材と裏面側型材とからなり、けらば端又は軒先端における屋根面と天井面との角度を保持する端部支持材であって、屋根面を形成する前記上面側型材の裏面に、天井面を形成する前記裏面側型材の端部がヒンジ構造を介して回動可能に取り付けられ、前記上面側型材に凹部が形成され、前記上面側型材もしくは前記裏面側型材の一方もしくは一部が化粧部を兼ねることを特徴とし、軒先の形状に自由度を持たせて様々な端部構造を形成できる。
【００１２】
本発明の端部支持材の取付対象である屋根構造は、縦葺き、横葺き、瓦等いかなるものであってもよく、それを取り付ける下地や該下地へ取り付けるための部材や構造についても何等限定するものではない。即ちこの端部支持材の取付対象は、どのような下地構造でもよく、鉄骨下地、ＲＣ下地、垂木等の支持材を配設したものでもよい。後述する図示実施例では横葺き屋根構造の軒側に取り付ける軒先支持材とした例を示したので、流れ方向に複数の屋根材を配設する横葺きや瓦等をイメージし易いが、流れ方向に連続する縦葺き屋根材でもよく、その場合には該縦葺き外装材の水下端よりも更に水下側に軒先支持材を取り付けるものである。
また、屋根材を例えば前記下地や該下地へ取り付けるための構造等としては、木材製の躯体、鉄骨製の躯体、コンクリート製の躯体などの各種材料で構築される躯体、躯体上に配された垂木等の支持部材又は野地材等の下地材等でもよい。
【００１３】
また、本発明の端部支持材は前述のように上面側型材と裏面側型材とからなるが、形成される端部構造は、上面側が外装面となるが、別部材の化粧材を上面側型材の表面に敷設するようにしてもよいし、この上面側型材自体が化粧材を兼ねるものでもよい。
同様に形成される端部構造は、裏面側が天井面となるが、別部材の化粧材を裏面側型材の下面に配設するようにしてもよいし、この裏面側型材自体が化粧材を兼ねるものでもよい。
【００１４】
前記上面側型材は、前述のようにこの上面側型材自体が化粧材を兼ねるか、又は別部材の化粧材を裏面側から支持する部材であって、後述する図示実施例のように屋根材の裏面に配設される下地（躯体）のけらばや軒端に延設状に取り付けられているものである。そして、前述のように裏面側型材の先端に、ヒンジ構造を介して回動可能に取り付けられている。
この上面側型材が別部材の化粧材を支持する場合、この上面側型材には化粧材を受支する受支部を有し、化粧材を取り付けるための取付受部を少なくとも一箇所以上に備えることが望ましいが、特にその構成を限定するものではない。また、裏面側型材の先端に回動可能に取り付けられるヒンジ構造についても、特にその形状構成を限定するものではない。
【００１５】
前記裏面側型材は、前述のようにこの裏面側型材自体が化粧材を兼ねるか、又は別部材の化粧材を上面側から支持する部材であるが、後述する図示実施例のように前者の態様を採用することが多い。
この化粧材を兼ねる裏面側型材は、前記上面側型材（及び化粧材）の裏面を下面側である室内側から被覆する部材であり、その軒先側の先端には、前記上面側型材がヒンジ構造を介して回動可能に取り付けられている。
【００１６】
前記ヒンジ構造は、前記上面側型材ではその裏面側先端付近に、前記裏面側型材ではその上面側先端付近に、それぞれ形成される組み合わせ構造であって、後述する図示実施例（図１〜図５，図７，図８）では、前記上面側型材の裏面側に設けられる略円弧状の軸受部を、前記裏面側型材の上面側に設けられる中空状の円筒体である軸部に、回動可能に組み付けた構成であって、別の図示実施例（図６）では、共に略円弧状に形成した軸受部と軸部とを回動可能に組み付けた構成であり、このように裏面側型材に対して上面側型材を任意の角度に回動させることができるものであれば、軸部と軸受部の構成については特に限定するものではない。その組み付け方法についても、スライドさせて組み付ける（図１〜図５，図７，図８）ものでも回動させて組み付ける（図６）ものでもよい。また、上面側型材に軸部を設ける（即ち裏面側型材に軸受部を設ける）ようにしてもよい。
【００１７】
さらに、前述のように任意の角度に回動可能に組み付けた上面側型材と裏面側型材との間に、その拡開角度を維持する部材や機構を設けることが望ましい。
例えば両型材間の拡開角度を維持する部材としては、係止状に係止部材を取り付ける態様が挙げられる。この係止部材としては、裏面側型材上に支持される支持部と上面側型材の裏面に係止される係止部とを有する構成とすれば、予め長さが異なる係止部材を複数用意しておけばよい。
【００１８】
また、前記拡開角度を維持、調節する機構としては、後述する図示実施例には三つの例を示した。なお、この機構と前記係止部材との相違は、予め長さが異なる別体の部材（複数の部材）を用意することなく、一つの機構（一組の部材）にて任意の拡開角度に調整できる点である。
【００１９】
第１の態様は、上面側型材に設けた下向き片と裏面側型材に設けた上向き片とが対向状に近接するように設け、下向き片の対向面に複数の凹部を形成すると共に上向き片の対向面に係止凸部を形成することにより、所望の角度にてビス打ち等を行えばよい。
第２の態様は、裏面側型材にボルトの頭部を収納可能な溝部を形成し、上面側型材には前記ボルトを挿通させる通孔を設け、前記溝部に頭部を収納したボルトを上面側型材に形成した通孔に挿通させ、所望の角度にてナットを締着すればよい。
第３の態様は、前記第２の態様における溝部がヒンジ構造を介して回動可能に取り付けられている構造である。
【００２０】
前記調節機構における第２の態様と第３の態様との相違は、溝部に頭部を収容したボルトが直立状に臨んでいるか、傾斜状に臨んでいるかの相違であって、ボルトが直立状に臨む前記第２の態様では、上面側型材に形成する通孔を長孔状に設ける必要がある。なお、通孔を設ける底面を平面より曲面にすることにより、長孔の長さを短くすることできる。
そして、ボルトが傾斜状に臨む前記第３の態様では、後述する図示実施例（図５）のように上面側型材に形成する通孔を円孔か少なくとも前記第２の態様よりも小さな長孔に形成してもよいし、或いはボルトをほぼ一定角度として裏面側型材が傾斜するようにしてもよい〔図７（ａ），（ｂ）の実施例〕。
【００２１】
なお、前述のようにこの端部支持材は、各種の屋根構造のけらばや軒端（水下端）に延設状に取り付けられるものである。後述する図示実施例に示す軒先支持材として説明すると、各種の屋根構造を形成する屋根材のうち、最も軒側（水下側）に位置する屋根材の更に軒側（水下側）に配設される軒先化粧材を取り付けることができるか、或いは該軒先化粧材を含むものである。なお、軒先化粧材を含む場合とは、上面側型材が軒先化粧材を兼ねる場合に相当する。
この軒先化粧材は、その裏面側に配設される上面側型材に支持されるので、その面板部はこの軒先支持材に受支されるものであり、少なくとも一箇所以上には上面側型材に形成した取付受部に取り付けられる取付部を備えることが望ましい。
【００２２】
また、前記上面側型材は、後述する図示実施例に示すように最も水下側に位置する屋根材やそれらが構築する屋根構造に、少なくとも一部が取付られていることが望ましく、前記裏面側型材は、屋根材が構築する屋根構造の裏面側に、少なくとも一部が取付られていることが望ましい。
このように前記上面側型材も前記裏面側型材も、屋根材が構築する屋根構造に少なくともその一部が取付されていることが望ましいが、この場合の取付とは、他の部材を介しての取付でもよく、それ自体は一体的である必要はなく、例えば係止や重合などをも含むものである。上面側型材と裏面側型材を直接的に固定することにより、両部材が高い強度の連結状態を得ることができる。
【実施例】
【００２３】
図１に示す本発明の軒先支持材１の参考例は、横葺き屋根構造の水下側に軒先構造を形成するものであって、軒天化粧材を兼ねる裏面側型材３の先端に、前記軒先化粧材１Ｂを裏面から支持する上面側型材２がヒンジ構造Ｈを介して回動可能に取り付けられている。なお、この軒先支持材１の取付対象は、どのような下地構造でもよく、鉄骨下地、ＲＣ下地、垂木等の支持材を配設したものでもよい。
【００２４】
前記上面側型材２は、この参考例では、別部材の軒先化粧材１Ｂを裏面側から支持する部材であって、屋根材４の裏面に配設される支持材（垂木）５ａの軒端に延設状に取り付けられている。そして、裏面側型材３の先端に、ヒンジ構造Ｈを介して回動可能に取り付けられている。
この上面側型材２には、図１（ｃ）に示すように軒先化粧材１Ｂを受支する面板部２１を有し、軒先化粧材１Ｂを取り付けるための取付受部２２，２３が軒端及び棟側にそれぞれ設けられ、その棟端には前記支持材（垂木）５ａの軒端への取付部２５が断面略コ字状に設けられている。そして、この上面側型材２の裏面側には、ヒンジ構造Ｈを形成する略円弧状の軸受部２７が設けられている。なお、この軸受部２７が設けられる面板部２１は、やや裏面側へ陥没状に（凹部２１１）形成されている。
なお、前記面板部２１は、屋根材４と同様の傾斜勾配を備える水上部分とそれを更に下方へ傾斜した水下部分とからなり、前記軒端の取付受部２２は、傾斜状下向き片の下端を指し、前記棟側の取付受部２３は、面板部２１から立ち上がって軒側へ傾斜する折れ片状の取付片２４の水下側の隅部を指す。また、前記取付部２５は、面板部２１の裏面側に略Ｌ字状片２６を設けて断面略コ状の空間を形成している。
【００２５】
前記上面側型材２の表面側に取り付けられている軒先化粧材１Ｂは、前記上面側型材２の面板部に受支される化粧面１１の軒端に、前記上面側型材２の取付受部２２に係合状に取り付けられる折返し部である取付部１２を有し、その棟端には、最も水下側に位置する屋根材４Ｚの水下側成形部４２に保持される保持部１３を有する。なお、最も水下側に位置する屋根材４の水下側成形部４２は、前記上面側型材２の取付片２４に係合状に取り付けられるが、その取付の際に下面側に保持部１３を押圧状に保持している。
【００２６】
前記裏面側型材３は、この参考例では、化粧面３１を備える軒天化粧材を兼ねるものであって、その軒先側の先端には、前記上面側型材２がヒンジ構造Ｈを介して回動可能に取り付けられている。
この裏面側型材３には、図１（ｂ）に示すように前記化粧面３１が略水平状の平坦面状であって、その表面側の軒端には、ヒンジ構造Ｈを形成する中空円筒状の軸部３２が設けられている。また、この化粧面３１の他方側には、直角状に立ち上がる起立状片３３と、該起立状片３３から外方へ延在する横片３４，３５とが設けられ、この横片３４，３５間に側方が開放された係止溝部３６が形成されている。
【００２７】
そして、前述のように前記上面側型材２と前記裏面側型材３はヒンジ構造Ｈを介して回動可能に取り付けられているが、略Ｌ字状の係止部材１Ｃにより、両型材２，３間の拡開角度を維持する構成である。
この係止部材１Ｃは、縦片１４の下端に横片１５が形成された構成であり、該横片１５が前記裏面側型材３に設けられた係止溝部３６に係止され、前記縦片１４の上端が前記上面側型材２の面板部２１と略Ｌ字状片２６との隅部に係止されるので、両型材２，３間の拡開角度は維持されるものとなる。
【００２８】
なお、この参考例における前記軒先支持材１の取付対象である横葺き屋根構造は、略ハット状の支持材（垂木）５ａ上に取り付けられた保持材（吊子）５ｂにより横葺き屋根材４が保持される構成であって、面板部４１の水下側に水下成形部４２、水上側に水上成形部４３が形成され、これらの成形部４２，４３は保持部材５ｂを介して係合保持される構成である。なお、最軒端に位置する屋根材のみに符号４Ｚを付して他の位置の屋根材４と区別した。
【００２９】
また、これらの屋根材４にて形成される横葺き屋根構造は、屋根面の傾斜勾配に沿うように躯体６ａが配設され、該躯体６ａには略水平状に延在する天井母屋６ｂが一体的に組み付けられ、前記躯体６ａには前記屋根材４を支持する支持材５ａが取り付けられ、前記天井母屋６ｂには、天井材６ｃが吊設状に配設されて略水平状の天井面を形成している。なお、図中、６ｄは前記天井材６ｃと前記裏面側型材３との間を覆う接続用化粧材であって、シール材６ｅと共に一体的に形成されるので、前記横葺き屋根構造の内部や形成した軒先構造の内部が室内側から露出することがない。
【００３０】
このような構成を有する図１（ａ）の軒先構造は、以下の手順にて施工することができる。
施工に際し、予め上面側型材２に裏面側型材３をヒンジ構造Ｈを介して回動可能に取り付けておいた状態で、前述のように断面略コ字状に形成した取付部２５を、前記横葺き屋根構造の支持材（垂木）５ａの軒端へ嵌合状に取り付け、上方からビス２ｃを打ち込んで固定する。この上面側型材２の取付に際し、最も水下側に位置する屋根材４の水下側成形部４２が、前記上面側型材２の取付片２４に係合状に取り付けられるように配設する。
【００３１】
次に、前記上面側型材２に回動可能に取り付けておいた裏面側型材３を、略水平状となるように回動させる。それと共に、この裏面側型材３の係止溝部３６に係止した係止部材１Ｃの縦片１４の上端を、前記上面側型材２の面板部２１と略Ｌ字状片２６との隅部に係止するように配置させる。この状態で上面側型材２の上方からヒンジ構造Ｈにビス２ｂを打ち込むことにより、上面側型材２と裏面側型材３との拡開角度が固定される。
【００３２】
その後、前記軒先化粧材１Ｂの軒端に設けた取付部１２を、前記上面側型材２の取付受部２２に係合状に取り付けると共に、棟端に設けた保持部１３を、最も水下側に位置する屋根材４Ｚの水下側成形部４２の下面側に保持させる（滑り込ませる）。
なお、前記ヒンジ構造Ｈにビス２ｂを打ち込む構成は、両部材２，３が分離する事故等を防ぐためには必要であるが、例えば両部材２，３を経年後でも寸法変形をほとんど生じない金属製材等にて形成した場合や軸部３２と軸受部２７とを十分に深く係合させている場合にはこのビス２ｂを省略して予め前記上面側型材２の表面に前記軒先化粧材１Ｂを取り付けておくようにしてもよい。
【００３３】
図２（ｂ），（ｃ）は、係止部材１Ｃが異なる以外は前記参考例と同様に施工される軒先構造であって、比較のために前記参考例については同図（ａ）にも示した。
そして、拡開角度が前記参考例より小さい図２（ｂ）に用いた係止部材１Ｄは、縦片１６が傾斜状の短片であり、拡開角度が前記参考例より大きい図２（ｃ）に用いた係止部材１Ｅは、縦片１７が屈折された長片であり、何れの係止部材１Ｄ，１Ｅにおいても裏面側型材３の係止溝部３６に係止する横片１５は共通の構成である。
これらの図２（ａ）〜（ｃ）より明らかなように、予め長さが異なる係止部材１Ｃ，１Ｄ，１Ｅを準備することにより、異なる拡開角度に対応させることができる。
【００３４】
図２（ｄ）は、前記第１の態様の角度調節機構を示すものであって、上面側型材２'に設けた下向き片２８と裏面側型材３'に設けた上向き片３７とが対向状に近接するように設け、前記上向き片３７の対向面に複数の凹部３７１を形成すると共に前記下向き片２８の対向面に係止凸部２８１を形成した例である。
なお、図中、２８２は前記下向き片２８に設けた通孔であり、２ｄは該通孔２８２に挿着する固定ビスである。
【００３５】
また、この図２（ｄ）における上面側型材２'は、軸受部２７'に回動を妨げる規制片２７１が設けられ、該規制片２７１が裏面側型材３'の化粧面３１に当接するため、図示した以上には拡開角度を狭める方向への回動ができないようにしている。
さらに、この図２（ｄ）における裏面側型材３'は、軸部３２'に前記軸受部２７'の回動を防ぐ規制部３２１が設けられ、所定以上の拡開角度を広げる方向への回動を規制している。
【００３６】
この図２（ｄ）の軒先構造は、前述のようにそれぞれ規制部（片）３２１，２７１を備えるので、軸部３２'と軸受部２７'とで形成されるヒンジ構造Ｈの回動角度の範囲が制限されたものであり、係止凸部２８１と凹部３７１との係合により所望の角度に設定した状態でビス２ｄを側方から打ち込んで固定することができる。
【００３７】
図３に示す本発明の第１実施例の軒先支持材１IIは、前記参考例と同様の横葺き屋根構造の水下側に軒先構造を形成するものであって、軒天化粧材を兼ねる裏面側型材３IIの先端に、前記軒先化粧材１Ｂを裏面から支持する上面側型材２'がヒンジ構造Ｈを介して回動可能に取り付けられている。
なお、この第１実施例における上面側型材１IIには凹部２９が形成されている以外は、上面側型材２IIも裏面側型材３IIも、各部位に関して参考例における上面側型材２や裏面側型材３と共通する箇所は同一符号を付して説明を省略する。特に上面側型材２IIの軸受部２７'及び規制片２７１は、前記図２（ｄ）と同様であるから、同一符号を付して説明を省略する。
【００３８】
この第１実施例における軒先支持材１IIは、前記参考例のように係止部材１Ｃを用いるものではなく、前記第２の態様の角度調節機構を用いて両型材２II，３IIの拡開角度を調整したものである。即ち裏面側型材３IIにボルト３ｃの頭部を収納可能な上方が開放する溝部３８を形成し、上面側型材２IIには前記ボルト３ｃを挿通させる通孔２９１を設け、前記溝部３８に頭部を収納したボルト３ｃをその通孔２９１に挿通させ、所望の角度にてナット３ｄを締着する構成を採用した。
なお、図中３ｅは、裏面側型材３IIと接続用化粧材６ｄとを連結するビスである。
【００３９】
なお、図３（ｃ）に示すように上面側型材２IIの通孔２９１は、略平坦状の面板部２１に設けられるものではなく、裏面側へ没入する凹部２９の隆状底面に形成される長孔である。前記凹部２９は、下方が縮径する略鉢状の断面形状を備える。また、裏面側型材３'の溝部３８は、略水平状に配設される化粧面３１の上面に形成されるので、該溝部３８に頭部を収納したボルト３ｃは略鉛直状に上向きに配設される。そして、略鉛直状に立設されたボルト３ｃに前記通孔２９１を挿通させると、図４（ａ）〜（ｃ）に示されるようにどのような拡開角度でもナット３ｄを底面に圧接状に締め付けることができる。
【００４０】
図４（ｂ），（ｃ）は、両型材２II，３IIの拡開角度が異なる以外は前記第１実施例と同様に施工される軒先構造であって、比較のために前記第２実施例については同図（ａ）にも示した。
そして、拡開角度が前記第１実施例より小さい図４（ｂ）では、短いボルト３ｃｓを用いており、拡開角度が前記第１実施例より大きい図４（ｃ）では、ボルト３ｃ自体は変わらないが、ナットを締め付ける位置が高くなっている。
これらの図４（ａ）〜（ｃ）より明らかなように、底面側型材３IIに立設したボルト３ｃに、上面側型材２IIに形成した通孔２９１を挿通させることにより、一つの機構（一組の部材）にて任意の拡開角度の調整できる。なお、ここで一組の部材とは、ボルト３ｃを立設した底面側型材３IIと通孔２９１を設けた上面側型材２IIとを指すものである。
【００４１】
図５に示す本発明の第２実施例の軒先支持材１IIIは、前記第１，第２実施例と同様の横葺き屋根構造の水下側に軒先構造を形成するものであって、軒天化粧材を兼ねる裏面側型材３IIIの先端に、上面側型材２IIIがヒンジ構造Ｈを介して回動可能に取り付けられている点でも同様である。
この第２実施例における軒先支持材１IIIは、前記第３の態様の角度調節機構を用いて両型材２III，３IIIの拡開角度を調整したものである。即ち前記第２の態様における溝部がヒンジ構造Ｈ２を介して回動可能に取り付けられている例である。
【００４２】
この第２実施例における裏面側型材３IIIは、図５（ｅ）に示すように化粧面３１の上面側に、前記第２実施例における溝部３８に代えてその上部が切り欠かれた円弧状の第二軸受部３９を備える構成である。この第二軸受部３９には、図５（ｇ）に示すボルト３ｃssの頭部を収納可能な上方が開放する溝部７１と、その下方に断面円状の棒状体である第二軸部７２とを備える溝部材７を回動可能に取り付けられる。
また、この第２実施例における上面側型材２IIIは、図５（ｆ）に示すように前記第１実施例における下方が縮径する略鉢状の断面形状を備える凹部２８に代えて底面に対して両側面が垂直状に立ち上がる枡状凹部２９が設けられ、該枡状凹部２９の底面に長孔状の通孔２９１を有する点では同様である。
【００４３】
そして、図５（ａ），（ｂ），（ｃ），（ｄ）は、その順で両型材２III，３IIIの拡開角度が次第に大きくなる軒先支持材１IIIであって、ヒンジ構造Ｈ２の分だけ長いボルトを必要としないため、図５（ａ）〜（ｃ）では前記短いボルト３ｃｓよりも更に短いボルト３ｃssを用いた。
これらの各軒先構造では、前述のように裏面側型材３IIIの第二軸受部３９に溝部材７の第二軸部７２を回動可能に取り付けてヒンジ構造Ｈ２とし、前記溝部材７の溝部７１にボルト３ｃssの頭部を収納して先端を上面側型材２IIIに設けた枡状凹部２９の底面の通孔２９１に挿通させたので、図５（ａ）〜（ｄ）に示されるようにどのような拡開角度でもナット３ｄを枡状凹部２９の底面に圧接状に締め付けることができる。
【００４４】
図６（ａ）〜（ｄ）に示す参考例の軒先支持材１IVは、ヒンジ構造が、前記図１の参考例等における軸受部２７と軸部３２とをスライド状に組み付けて形成されるものではなく、上面側型材２IVの面板部２１ivの先端に設けられる軸受部２７ivも裏面側型材３IVの化粧面３１ivの先端に設けられる軸部３２ivも共に略円弧状に形成され、これらを回動させて組み付けて一体化した構造である。
【００４５】
まず、図６（ａ）に示すように裏面側型材３IVに設けた縦片を金具６ｆにビス固定した後、固定した裏面側型材３IVの軸部３２ivに上面側型材２IVに設けた軸受部２７ivを回動させつつ一体化させる。なお、上面側型材２IVの裏面側に設けた下方が開放する溝部には、前記図２（ｄ）における下向き片２８ivと同様の作用を果たす調整部材８が別部材として取り付けられている。
次に、図６（ｂ）に示すように裏面側型材３IVに設けた上向き片３２ivに調整部材８を対向状に近接させ、前記上向き片３２ivの対向面に設けた凹凸部を前記調整部材８の対向面に設けた凹凸部に噛合状に組み合わせたので、作業者が支える必要がなく微調整を行うことができ、安定に固定作業（ビス打ち）を行うことができる。
【００４６】
そうして、図６（ｃ）に示すように拡開角度が決定したら、ビス８ｂにて固定すればよいが、この例における前記調整部材８は、前記図２（ｄ）における下向き片２８と違って別部材であるから、上面側型材２IVは通し材であるが、この調整部材８はピース材でもよい。また、同図では、裏面側型材３IVの更に下面側に天井化粧材６Ｇをビス６ｈにて固定しているので、裏面側型材３IVもピース材でもよい。但し、図６（ｄ）に示すように天井化粧材６Ｇが存在しない態様においては、裏面側型材３IVは通し材となる。
【００４７】
図７（ａ）〜（ｃ）に示す第３実施例の軒先支持材１Vにおける前記第３の態様の角度調節機構は、前記図５の第２実施例とは異なり、上面側型材２Vに、浅皿状の凹部２９vを設け、該凹部２９vの底面に通孔を有し、裏面側型材３Vに、上方が開放する椀状の凹部３９vを設け、該凹部３９vに弾性材９ａと共にボルト９ｂの頭部を収容した態様であり、ボルト９ｂの頭部は、弾性材９ａと共に凹部３９の内面を回動することができるため、ヒンジ構造を形成することができる。
そして、この態様においては、図７（ｂ）に示すようにボルト９ｂをほぼ一定角度として裏面側型材３Vを傾斜するように角度調整して設定した角度にてナット９ｃを締着して固定することができる。
【００４８】
図７（ｄ）に示す第４実施例の軒先構造は、アルミ押出材にて軒先化粧材１Ｆを作成した例であり、素材自体に強度を有するため、軒先側の先端には係合溝を形成して上面側型材１VIに係合させ、水上側の先端をビス止め（ビス１ｇ）して上面側型材１VIに固定する構成を採用している。
【００４９】
図８（ａ），（ｂ）に示す第５実施例の軒先支持材１VIIは、前記第２実施例と同様に前記第２の態様の角度調整機構を用いたものであり、上面側型材２VIIに形成する凹部２８viiの形状が異なる以外は、裏面側型材３VIIに上方が開放する溝部３８を設けて該溝部３８内にボルト３ｃの頭部を収容させ、ナット３ｄを締着して取り付ける点なども全く同様であるから図面に同一符号を付して説明を省略する。
この第５実施例における裏面側型材３VIIのヒンジ部Ｈ３の前方には、下方から見えないようにする化粧部３０が設けられている。
【００５０】
なお、この第５実施例では、垂木６ａ及び天井母屋６ｂの上に横葺き屋根構造（屋根材４）が構築され、図８（ａ）の軒先構造では、天井母屋６ｂの下面に支持材６Ｉを介して天井材６ｃが吊設状に配設されて略水平状の天井面を形成し、図８（ｂ）の軒先構造では、部材６Ｊ及び部材６Ｋにて段状部分が形成され、該段状部分に対して部材６Ｌ及び部材６Ｍを取り付けて軒天構造を形成している。
【符号の説明】
【００５１】
１，１II〜１VI  軒先支持材
１Ｂ  軒先化粧材
１Ｃ  係止部材
２，２II〜２VI  上面側型材
２１  面板部
２７  軸受部
２８vii，２９，２９v  凹部
３，３II〜３VI  裏面側型材
３１  化粧面
３２  軸部
４  屋根材
４Ｚ  最も水下側に位置する屋根材
Ｈ  ヒンジ構造
【図１】
2020176518.tif 000003
【図２】
2020176518.tif 000004
【図３】
2020176518.tif 000005
【図４】
2020176518.tif 000006
【図５】
2020176518.tif 000007
【図６】
2020176518.tif 000008
【図７】
2020176518.tif 000009
【図８】
2020176518.tif 000010